(57)【特許請求の範囲】
【請求項１】
上面開口箱状のゲート躯体を水路に設けてその内水側壁面の下方部に取水口を開口し、エルボ状吐出管内をセパレータにより主ポンプ側吐出路と副ポンプ側吐出路に区画すると共に該区画された両吐出路の上端開口面にそれぞれ逆止弁を付設し、更にその上方に上記両吐出路を合流させる単一の吐出導管を立設してその上端部を外水側へ開口させ、下方を二又状に分岐されたエルボ状吐出管を着脱ベンドによりゲート躯体内の下方部に定着させてその両側端開口面をそれぞれ側開型ポンプ吐出口の衝合面に形成し、ゲート躯体内に主ポンプ用昇降ガイドと副ポンプ用昇降ガイドを各別に立設し、主ポンプの外面から導出された係合子を主ポンプ用昇降ガイドに摺動自在に係合させると共に副ポンプの外面から導出された係合子を副ポンプ用昇降ガイドに摺動自在に係合させたことを特徴とするゲートポンプ設備。
【発明の詳細な説明】
【０００１】
【発明の技術分野】
本発明は、外水の侵入を防止すると共に内水を外水側へ強制的に排出するたの、ゲートポンプ設備に関するものである。
【０００２】
【従来技術とその問題点】
図４および図５に示すよう、水路に設けられた水門に昇降自在に支持される門扉１０１の内水側Ａに面して排水ポンプ１１０を装着し、内水位よりも外水位が低いときは図４のように門扉１０１と共に排水ポンプ１１０を引き揚げて自然流下により排水させ、内水位よりも外水位が高くなれば図５のように門扉１０１と共に排水ポンプ１１０を下降させて外水の侵入を防ぐと共にポンプ運転により内水を強制的に排出させる、というゲートポンプ設備は既に公知である。
【０００３】
しかし上記従来のゲートポンプ設備では、門扉１０１の内水側Ａ面へ排水ポンプ１１０が片持状に装着されているため、重量アンバランスを生じて門扉１０１の昇降作動が不円滑となり、排水ポンプ１１０と共に大重量の門扉１０１を昇降させるので大きな動力が必要でランニングコストが増大し、且つ、水路上部のスラブにポンプ通過のための大きな開口部Ｈのマシンハッチが必要で建築躯体強度保持のため建設コストが嵩み、また、内水路Ａに面している排水ポンプ１１０に水路中の流下物などが直撃して損傷を与えるという欠点がある。更にまた、ゲート設備は、主ポンプの故障時や緊急時の増設排水に備えて副ポンプを併設し、これら個別に装着される主副２台のポンプについてそれぞれ各別の吐出配管が施されるため、構成が複雑となると共に設備の大型化が避けられないという憾みがある。
【０００４】
【発明の目的】
本発明の目的は、構成が簡潔で大型化することなくローコストに設置でき、また、水路中の流下物が排水ポンプに直撃することを回避でき、且つ、昇降操作に大きな動力を必要とせずランニングコストの面でも優利なゲートポンプ設備を提供することにある。
【０００５】
【発明の構成】
本発明に係るゲートポンプ設備においては、上面開口箱状のゲート躯体を水路に設けてその内水側壁面の下方部に取水口を開口し、エルボ状吐出管内をセパレータにより主ポンプ側吐出路と副ポンプ側吐出路に区画すると共に該区画された両吐出路の上端開口面にそれぞれ逆止弁を付設し、更にその上方に上記両吐出路を合流させる単一の吐出導管を立設してその上端部を外水側へ開口させ、下方を二又状に分岐されたエルボ状吐出管を着脱ベンドによりゲート躯体内の下方部に定着させてその両側端開口面をそれぞれ側開型ポンプ吐出口の衝合面に形成し、ゲート躯体内に主ポンプ用昇降ガイドと副ポンプ用昇降ガイドを各別に立設し、主ポンプの外面から導出された係合子を主ポンプ用昇降ガイドに摺動自在に係合させると共に副ンプの外面から導出された係合子を副ポンプ用昇降ガイドに摺動自在に係合させた。
【０００６】
【実施例】
以下実施例の図１乃至図３により説明をする。
【０００７】
１は水路中に設けられたゲート躯体であり、上面を開口した箱状に形成され、内水側壁面１ａの下方部に取水口２を開口し、下底部には着脱ベンド３によってエルボ状吐出管４を定着させる。エルボ状吐出管４は管内をセパレータ５により主ポンプ側吐出路６ａと副ポンプ側吐出路６ｂに区画し、該区画された両吐出路６ａ，６ｂの上端開口面７ａ，７ｂにそれぞれ逆止弁８，８を付設するのであるが、バタフライ型の逆止弁であれば一方の弁体を主ポンプ側吐出路６ａの上端開口面に配し、他方の弁体を副ポンプ側吐出路６ｂの上端開口面に配することになる。逆止弁８，８の上方には上記両吐出路６ａ，６ｂを合流させる単一の吐出導管９が立設され、その上端部はゲート躯体１の上方から外水側へ開口されている。１０ａは主ポンプ、１１ａは主ポンプ１０ａの側開型ポンプ吐出口、１２ａは主ポンプ１０ａのポンプ吸込口、１０ｂは副ポンプ、１１ｂは副ポンプ１０bの側開型ポンプ吐出口、１２ｂは副ポンプ１０ｂのポンプ吸込口である。前記エルボ状吐出管４は下方を二又状に分岐されてその両側端開口面１３ａ，１３ｂはそれぞれ側開型ポンプ吐出口１１ａ，１１ｂの衝合面に形成されている。１４ａは主ポンプ１０ａ用の昇降ガイド、１４ｂは副ポンプ１０ｂ用の昇降ガイドであり、それぞれゲート躯体１内において吐出導管９を挟んで対設されている。１５ａは主ポンプ１０ａの外面から導出された係合子で、主ポンプ用昇降ガイド１４ａに摺動自在に係合される。１５ｂは副ポンプの外面から導出された係合子で、副ポンプ用昇降ガイド１４ｂに摺動自在に係合される。１６ａはポンプ吐出口１１ａの上縁から導出されてエルボ状吐出管４の側端開口面１３ａの上縁へ係脱自在に係止する係止爪、１６ｂはポンプ吐出口１１ｂの上縁から導出されてエルボ状吐出管４の側端開口面１３ｂの上縁へ係脱自在に係止する係止爪、１７ａは主ポンプ１０ａの昇降操作用吊下げチェーン、１７ｂは副ポンプ１０ｂの昇降操作用吊下げチェーンである。
【０００８】
【作用】
内水位よりも外水位が低いときはゲート躯体１と共に主副両ポンプ１０ａ，１０ｂは上昇位置にあって自然流下による排水が行われ、水位が高くなって来るとゲート躯体１と共に主副両ポンプ１０ａ，１０ｂを下降させた状態により外水の侵入に備えるが、外水位が更に上昇しても内水位がポンプ運転水位に達しない間はポンプ運転による内水の強制排出は行われることがない。この間に万一ポンプの故障による修理や交換の必要を生じた場合は、ゲート躯体１は水路に残したままで、その修理・交換の必要なポンプのみを上昇させれば足りる。そして内水位が上昇して予め定められた運転水位に達すれば主ポンプ１０ａの運転により内水を強制的に排出させる。主ポンプ１０ａに故障を生じたときは副ポンプ１０ｂの運転により内水を強制的に排出させる。また、内水の排出を緊急に行わせる場合には主副両ポンプ１０ａ，１０ｂを同時に運転させる。
【０００９】
【発明の効果】
本発明ゲートポンプ設備によれば、主副２台のポンプの吐出口を単一の吐出導管へ導通させるため、構成が簡潔で大型化することなくローコストに設置でき、また、主副２台のポンプが上面開口箱状のゲート躯体内に保持されているため、水路中の流下物がポンプに直撃することを回避でき、且つ、排ポンプの修理や交換時にゲート躯体を水路に残置したままで、その修理・交換の必要なポンプのみを昇降させれば足りるという構成であるため、昇降操作に大きな動力を必要とせずランニングコストの面でも優利である。
【図面の簡単な説明】
【図１】  本発明ゲートポンプ設備におけるゲート躯体の外水側壁面を除却した状態を示す内部正面図である。
【図２】  図１のＡ−Ａ線矢視方向の縦断側面図である。
【図３】  本発明ゲートポンプ設備におけるエルボ状吐出管の平面図である。
【図４】  従来のゲートポンプ設備を例示した要部縦断側面図であって、門扉と共に排水ポンプを上昇させた状態を示す。
【図５】  従来のゲートポンプ設備を例示した要部縦断側面図であって、門扉と共に排水ポンプを下降させた状態を示す。
【符号の説明】
１      ゲート躯体
１ａ    内水側壁面
２      取水口
３      着脱ベンド
４      エルボ状吐出管
５      セパレータ
６ａ    主ポンプ側吐出路
６ｂ    副ポンプ側吐出路
７ａ    主ポンプ側吐出路の上端開口面
７ｂ    副ポンプ側吐出路の上端開口面
８      逆止弁
９      吐出導管
１０ａ  主ポンプ
１０ｂ  副ポンプ
１１ａ  主ポンプの側開型吐出口
１１ａ  副ポンプの側開型吐出口
１３ａ  側端開口面
１３ｂ  側端開口面
１４ａ  主ポンプ用昇降ガイド
１４ｂ  副ポンプ用昇降ガイド
１５ａ  係合子
１５ｂ  係合子
【図１】
0004307683.tif 000002
【図２】
0004307683.tif 000003
【図３】
0004307683.tif 000004
【図４】
0004307683.tif 000005
【図５】
0004307683.tif 000006